(57)【要約】【課題】帽子の展開形状を維持しつつ帽子を人の頭に良好に密着させることができる折畳み式帽子を提供する。【解決手段】前側弾性平板１１と後側弾性平板１２の周縁部の一部には、前後方向に折曲げ可能な折曲げ部１３が形成され、前側弾性平板１１と後側弾性平板１２とが折曲げ部１３を介して折畳まれると扁平状態になり、前側弾性平板１１と後側弾性平板１２とが折曲げ部１３を介して湾曲しながら拡げられると展開状態になり、この展開状態を維持する顎紐１４を備えた折畳み式帽子１０を構成した。【選択図】図６
2007162179.tif 000002
【特許請求の範囲】
【請求項１】
庇部と前頭被覆部とが一枚の板状を呈して平板状態で形状が安定する部材で成形された前側弾性平板と、該前側弾性平板の周縁部の一部が連続されて後頭を被覆する平板状態で形状が安定する部材で成形された後側弾性平板とを有し、
前記前側弾性平板と前記後側弾性平板の前記周縁部の一部には、前後方向に折曲げ可能な折曲げ部が形成され、前記前側弾性平板と前記後側弾性平板とが前記折曲げ部を介して折畳まれると扁平状態になり、前記前側弾性平板と前記後側弾性平板とが前記折曲げ部を介して湾曲しながら拡げられると展開状態になり、
該展開状態を維持する展開状態維持手段を備えたことを特徴とする折畳み式帽子。
【請求項２】
庇部と前頭被覆部とが一枚の板状を呈して湾曲状態で形状が安定する部材で成形された前側弾性平板と、該前側弾性平板の周縁部の一部が連続されて後頭を被覆する湾曲状態で形状が安定する部材で成形された後側弾性平板とを有し、
前記前側弾性平板と前記後側弾性平板の前記周縁部の一部には、前後方向に折曲げ可能な折曲げ部が形成され、前記前側弾性平板と前記後側弾性平板とが前記折曲げ部を介して湾曲しながら拡げられると展開状態になり、前記前側弾性平板と前記後側弾性平板とが前記折曲げ部を介して折畳まれると扁平状態になることを特徴とする折畳み式帽子。
【請求項３】
前記折曲げ部が、折曲げ水平部と、該折曲げ水平部の両端から連続する２つの折曲げ傾斜部とを有することを特徴とする請求項１又は２に記載の折畳み式帽子。
【請求項４】
前記折曲げ部が、円弧状に形成されたことを特徴とする請求項１又は２に記載の折畳み式帽子。
【請求項５】
前記展開状態維持手段は、前記前側弾性平板及び／又は前記後側弾性平板における前記折曲げ部の両端部の近傍に形成された紐取付け部位に、両端部を取付けられた顎紐であり、該顎紐が引張られると前記紐取付け部位が引張られて展開状態が維持されることを特徴とする請求項１、３、４の何れか一つに記載の折畳み式帽子。
【請求項６】
前記展開状態維持手段は、前記前側弾性平板における前記折曲げ水平部の両端部から前方に円弧状に形成されて折曲げ可能な前方折曲げ円弧線と、前記後側弾性平板における前記折曲げ水平部の両端部から後方に円弧状に形成されて折曲げ可能な後方折曲げ円弧線とからなり、前記前側弾性平板と前記後側弾性平板とが拡げられた状態で、前記前方折曲げ円弧線と前記後方折曲げ円弧線とで囲まれた部位を押圧して凹ませることによって、前記前側弾性平板と前記後側弾性平板とは展開状態が維持されることを特徴とする請求項３に記載の折畳み式帽子。
【請求項７】
前記展開状態維持手段は、前記前側弾性平板及び／又は前記後側弾性平板の板面に沿って設けられ、湾曲状態で形状が安定するバネ材であることを特徴とする請求項１、３、４に記載の折畳み式帽子。
【請求項８】
前記前側弾性平板の裏面と前記後側弾性平板の裏面には、人の頭頂部が当接する緩衝材が取付けられ、前記前側弾性平板と前記後側弾性平板とが拡げられた状態で前記各弾性平板の裏面と前記緩衝材の頭頂部に対する当接部分との間には隙間が形成されて、人の頭頂部が前記各弾性平板の裏面に当接しないように構成されたことを特徴とする請求項１乃至７の何れか一つに記載の折畳み式帽子。
【請求項９】
前記顎紐は、前記緩衝材の下端に設けられた緩衝材引張紐と連動して引張られるように構成したことを特徴とする請求項８に記載の折畳み式帽子。
【請求項１０】
前記前側弾性平板と前記後側弾性平板は、透明であることを特徴とする請求項１乃至９に記載の折畳み式帽子。
【発明の詳細な説明】
【技術分野】
【０００１】
この発明は、折畳んだ状態で扁平状態になる折畳み式帽子に関するものである。
【背景技術】
【０００２】
従来、陽射しから顔及び頭部を守るために帽子が用いられ、又、帽子の収納性を高めるために折畳み式のものが種々考案されている。この折畳み式の帽子に関する発明又は考案として、特許文献１及び２に記載されているようなものがある。
【０００３】
特許文献１には、「一枚の薄板体（１）の中央部分に頭がはいる大きさの開口部を設け、開口部の両側に開口部から少し離れた位置に湾曲した曲線状折り目（３）をつけ、該薄板体（１）を開口部の中心部を横切る中心折り目（２）で二つ折りにし、重なった端部の糊代（６）の部分を接合し、そうした後、両側の、湾曲した曲線状折り目（３）の部分をそとに張り出すように折り曲げて、二つ折りにされた中心折り目（２）を伸展することにより立体形状の構造体とし、開口部を頭に被せることにより帽子としての働きをする折り畳み式帽子」が記載されている。
【０００４】
これによれば、「折り上げて立体構造としたときの外形は二方向にひさしが張りだしているため着帽の方向によって、顔と首筋、あるいは顔の左右を陽射しから保護し、また、隙間なく頭頂部を覆っているため頭頂部も陽射しを完全に遮光している。折り上げて立体構造としたときの断面は三角形を基本としているため風などの少々の外力では変形せず、着帽したとき頭に接する開口部が安定しているので着帽時の密着感は良い。湾曲した曲線状の折り目の部分を元の状態に伸展することにより、二つ折りにされた平らな薄板体に戻るため保管のための空間は極めて少なくて済む。」旨記載されている。
【０００５】
また、特許文献２には、「平板の折線１を共有の辺とし、その両側に対象な多角形の側板２，２を形成し、笠本体３としている。側板２，２の中央付近に上辺を、折線１にほぼ平行に配置し、これを折辺とした台形の開閉扉４，４を設けた窓５，５をあけ、それらの下方に、締め紐６，６をとりつけた平板を二つ折にしてなる笠。」が記載されている。
【特許文献１】実開平７−４３４５０号公報
【特許文献２】実開平２−８７０２１号公報
【発明の開示】
【発明が解決しようとする課題】
【０００６】
しかしながら、特許文献１に記載された考案では、顎紐が設けられていないので、例えば、強風が吹いている状況では、帽子を人の頭に密着させた状態が維持できない場合もあると考えられ、帽子が吹き飛ばされてしまう虞がある。また、特許文献１に記載された発明では、開口部の大きさが定まってしまっているので、それぞれの人の頭の大小に対応できないので、ある人にはとっては、被ったら大きすぎてぶかぶかであったり、他の人にとっては、被ったら小さすぎて被れないという虞もある。
【０００７】
また、特許文献２に記載された考案では、顎紐が取付けられて人の頭に密着させた状態を維持することができ、強風で吹き飛ばされることがなく、又、人の頭の大小に対応できるものの、笠に人の頭の前後方向に沿う折曲げ部が形成され、２枚の平板が折曲げ部を介して閉じる方向と、顎紐が平板を引張る方向とが、一致しているので、人が笠を被って顎紐を結わえた場合に、顎紐に引張られて平板が閉じるばかりで、笠の展開状態が維持されない。従って、笠を被った人は、頭の左右両側部に閉塞感を感じる虞があった。
【０００８】
そこで、この発明は、帽子の展開形状を維持しつつ帽子を人の頭に密着させた状態が維持できる折畳み式帽子を提供することを課題とする。
【課題を解決するための手段】
【０００９】
かかる課題を達成するために、請求項１に記載の発明は、庇部と前頭被覆部とが一枚の板状を呈して平板状態で形状が安定する部材で成形された前側弾性平板と、該前側弾性平板の周縁部の一部が連続されて後頭を被覆する平板状態で形状が安定する部材で成形された後側弾性平板とを有し、前記前側弾性平板と前記後側弾性平板の前記周縁部の一部には、前後方向に折曲げ可能な折曲げ部が形成され、前記前側弾性平板と前記後側弾性平板とが前記折曲げ部を介して折畳まれると扁平状態になり、前記前側弾性平板と前記後側弾性平板とが前記折曲げ部を介して湾曲しながら拡げられると展開状態になり、該展開状態を維持する展開状態維持手段を備えた折畳み式帽子としたことを特徴とする。
【００１０】
請求項２に記載の発明は、庇部と前頭被覆部とが一枚の板状を呈して湾曲状態で形状が安定する部材で成形された前側弾性平板と、該前側弾性平板の周縁部の一部が連続されて後頭を被覆する湾曲状態で形状が安定する部材で成形された後側弾性平板とを有し、前記前側弾性平板と前記後側弾性平板の前記周縁部の一部には、前後方向に折曲げ可能な折曲げ部が形成され、前記前側弾性平板と前記後側弾性平板とが前記折曲げ部を介して湾曲しながら拡げられると展開状態になり、前記前側弾性平板と前記後側弾性平板とが前記折曲げ部を介して折畳まれると扁平状態になる折畳み式帽子としたことを特徴とする。
【００１１】
請求項３に記載の発明は、請求項１又は２に記載の構成に加え、前記折曲げ部が、折曲げ水平部と、該折曲げ水平部の両端から連続する２つの折曲げ傾斜部とを有することを特徴とする。
【００１２】
請求項４に記載の発明は、請求項１又は２に記載の構成に加え、前記折曲げ部が、円弧状に形成されたことを特徴とする。
【００１３】
請求項５に記載の発明は、請求項１、３、４の何れか一つに記載の構成に加え、前記展開状態維持手段は、前記前側弾性平板及び／又は前記後側弾性平板における前記折曲げ部の両端部の近傍に形成された紐取付け部位に、両端部を取付けられた顎紐であり、該顎紐が引張られると前記紐取付け部位が引張られて展開状態が維持されることを特徴とする。
【００１４】
請求項６に記載の発明は、請求項３に記載の構成に加え、前記展開状態維持手段は、前記前側弾性平板における前記折曲げ水平部の両端部から前方に円弧状に形成されて折曲げ可能な前方折曲げ円弧線と、前記後側弾性平板における前記折曲げ水平部の両端部から後方に円弧状に形成されて折曲げ可能な後方折曲げ円弧線とからなり、前記前側弾性平板と前記後側弾性平板とが拡げられた状態で、前記前方折曲げ円弧線と前記後方折曲げ円弧線とで囲まれた部位を押圧して凹ませることによって、前記前側弾性平板と前記後側弾性平板とは展開状態が維持されることを特徴とする。
【００１５】
請求項７に記載の発明は、請求項１、３、４に記載の構成に加え、前記展開状態維持手段は、前記前側弾性平板及び／又は前記後側弾性平板の板面に沿って設けられ、湾曲状態で形状が安定するバネ材であることを特徴とする。
【００１６】
請求項８に記載の発明は、請求項１乃至７の何れか一つに記載の構成に加え、前記前側弾性平板の裏面と前記後側弾性平板の裏面には、人の頭頂部が当接する緩衝材が取付けられ、前記前側弾性平板と前記後側弾性平板とが拡げられた状態で前記各弾性平板の裏面と前記緩衝材の頭頂部に対する当接部分との間には隙間が形成されて、人の頭頂部が前記各弾性平板の裏面に当接しないように構成されたことを特徴とする。
【００１７】
請求項９に記載の発明は、請求項８に記載の構成に加え、前記顎紐は、前記緩衝材の下端に設けられた緩衝材引張紐と連動して引張られるように構成したことを特徴とする。
【００１８】
請求項１０に記載の発明は、請求項１乃至９に記載の構成に加え、前記前側弾性平板と前記後側弾性平板は、透明であることを特徴とする。
【発明の効果】
【００１９】
請求項１に記載の発明によれば、前側弾性平板が、庇部と前頭被覆部とが一枚の板状を呈する。従って、庇部と前頭被覆部とを別体に成形する場合に比較して、成形が容易に行える。
【００２０】
また、前側弾性平板と後側弾性平板とが、平板状態で形状が安定する部材で成形された。従って、収納する場合には、折畳んだ状態にしておけば良いので、収納スペースをとらないで済む。
【００２１】
さらに、前側弾性平板と後側弾性平板の周縁部の一部には、前後方向に折曲げ可能な折曲げ部が形成され、前側弾性平板と後側弾性平板とが折曲げ部を介して折畳まれると扁平状態になり、前側弾性平板と後側弾性平板とが折曲げ部を介して湾曲しながら拡げられると展開状態になり、展開状態を維持する展開状態維持手段を備えた。従って、折畳み式帽子を被っている間に、折畳み式帽子が閉じようとすることがないので、快適に装着することができる。
【００２２】
請求項２に記載の発明によれば、前側弾性平板が、庇部と前頭被覆部とが一枚の板状を呈する。従って、庇部と前頭被覆部とを別体に成形する場合に比較して、成形が容易に行える。
【００２３】
また、前側弾性平板と後側弾性平板とが、湾曲状態で形状が安定する部材で成形された。従って、緊急時に折畳み式帽子を取出せば、前側弾性平板と後側弾性平板との境目である折曲げ部を介して展開状態へと変形するため、人手によって折畳み式帽子を開く必要がなくなる。
【００２４】
請求項３に記載の発明によれば、折曲げ部が、折曲げ水平部と、折曲げ水平部の両端から連続する２つの折曲げ傾斜部とを有する。そのため、折曲げ水平部と折曲げ傾斜部とで形成される形が頭の形に適合することにより、頭への装着感が良好になり、折曲げ水平部と折曲げ傾斜部とで屈曲部が形成されることにより、折畳み式帽子が展開状態になったときに剛性が向上する。
【００２５】
請求項４に記載の発明によれば、折曲げ部が、円弧状に形成された。そのため、折曲げ部の形状が人の頭の形状に近いので、頭への装着感が更に良好になる。
【００２６】
請求項５に記載の発明によれば、展開状態維持手段は、前側弾性平板及び／又は後側弾性平板における折曲げ部の両端部の近傍に形成された紐取付け部位に、両端部を取付けられた顎紐であり、顎紐が引張られると紐取付け部位が引張られて展開状態が維持される。従って、顎紐を顎にかけたときに、折曲げ部の両端部に形成された紐取付け部位が互いに引寄せられるので、前側弾性平板と後側弾性平板との繋ぎ目が前後方向で湾曲するようになり、展開状態が維持される。
【００２７】
請求項６に記載の発明によれば、展開状態維持手段は、前方折曲げ円弧線と後方折曲げ円弧線とからなり、前側弾性平板と後側弾性平板とが拡げられた状態で、前方折曲げ円弧線と後方折曲げ円弧線とで囲まれた部位を押圧して凹ませることができる。そのため、その凹みが形成されることで、前側弾性平板と後側弾性平板とが開く方向に付勢される。従って、その凹みによって、顎紐がなくても、折畳み式帽子の展開状態の維持が可能になり、又、展開状態を維持する強度が向上される。
【００２８】
請求項７に記載の発明によれば、展開状態維持手段は、前側弾性平板及び／又は前記後側弾性平板の板面に沿って設けられ、湾曲状態で形状が安定するバネ材である。従って、平板自体の材質が、平板状態で形状が安定される部材であった場合にも、バネ材の弾性力によって、前側弾性平板や後側弾性平板が湾曲しながら展開されるようにすることができる。
【００２９】
請求項８に記載の発明によれば、前側弾性平板の裏面と後側弾性平板の裏面には、人の頭頂部が当接する緩衝材が取付けられ、前側弾性平板と後側弾性平板とが拡げられた状態で各弾性平板の裏面と緩衝材の頭頂部に対する当接部分との間には隙間が形成されて、人の頭頂部が各弾性平板の裏面に当接しないように構成された。従って、緊急時に折畳み式帽子を拡げて被った場合に、仮に帽子の上から危険物が落下してきたときに、人の頭への衝撃を緩和することができる。
【００３０】
請求項９に記載の発明によれば、顎紐は、緩衝材の下端に設けられた緩衝材引張紐と連動して引張られるように構成した。従って、顎紐が折曲げ傾斜部を引張ると同時に、緩衝材を引張ることになるので、折畳み式帽子の展開状態を維持しつつ緩衝材を人の頭に強く被せることができる。
【００３１】
請求項１０に記載の発明によれば、前側弾性平板と後側弾性平板は、透明である。従って、折畳み式帽子を被ったときに、前方及び側方の視界が広がるので、避難時に安全に行動することができる。
【発明を実施するための最良の形態】
【００３２】
［発明の実施の形態１］
以下、この発明の実施の形態１について説明する。
【００３３】
図１乃至図６は、この発明の実施の形態１を示す。
【００３４】
まず、構成を簡単に説明すると、折畳み式帽子１０は、図１（ａ），（ｂ）で示すように、前側弾性平板１１と後側弾性平板１２とを有し、前側弾性平板１１と後側弾性平板１２の周縁部の一部とが連続され、その前側弾性平板１１と後側弾性平板１２との境目には、折曲げ部１３が形成されている。
【００３５】
前側弾性平板１１は、庇部１１ｘと前頭被覆部１１ｙとが一枚の板状を呈して平板状態で形状が安定する部材で成形されている。庇部１１ｘは、前側弾性平板１１の先端側の部位であって、前側弾性平板１１における図３で示す２点鎖線の上の部位である。被覆部１１ｙは、前側弾性平板１２の基端部側の部位であって、前側弾性平板１１における図３で示す２点鎖線の下の部位である。また、後側弾性平板１２は、前側弾性平板１１の「周縁部の一部」に形成された折曲げ部１３が連続されて後頭を被覆する平板状態で形状が安定する部材で成形されている。前側弾性平板１１と後側弾性平板１２の材質は、例えば、ポリプロピンにより成形される。
【００３６】
また、前側弾性平板１１と後側弾性平板１２の色は、透明色を用いる。透明であれば、避難時に前方及び側方に視界が広がるので、有効である。
【００３７】
そして、折曲げ部１３を介して折畳まれると、図２（ａ），（ｂ）で示すように、前側弾性平板１１と後側弾性平板１２とが扁平状態になり、折曲げ部１３を介して湾曲しながら拡げられると、図１で示すように、前側弾性平板１１と後側弾性平板１２とが展開状態になるように構成されている。
【００３８】
折曲げ部１３は、図１（ａ）で示すように、折曲げ水平部１３ａと、折曲げ水平部１３ａの両端から連続する２つの折曲げ傾斜部１３ｂとからなる。前側弾性平板１１には、図３で示すように、折曲げ傾斜部１３ｂに沿って、後側弾性平板１２に接合するための固定部１１ｅが形成されている。そして、固定部１１ｅを後側弾性平板１２の固定部１２ｅに貼付して固定することによって、図２（ａ），（ｂ）で示すように、扁平状態にすることができ、折曲げ傾斜部１３ｂ同士を接近させることで、図１で示すように、展開状態にすることができるようになっている。
【００３９】
顎紐１４は、左側紐１４ｘと右側紐１４ｙとからなり、左側紐１４ｘは、図３（ｂ）で示すように、紐部１４ｐ、紐部１４ｑ、紐部１４ｒ、紐部１４ｓを有し、これらの紐部１４ｐ〜１４ｓ同士の間に、連結部１６ａ，１６ｂ，１６ｃを有し、端部には、連結雄部１７を有する。右側紐１４ｙは、図３（ｃ）で示すように、紐部１４ｐ、紐部１４ｑ、紐部１４ｒを有し、これらの紐部１４ｐ〜１４ｒ同士の間に、連結部１６ａ，１６ｂ，１６ｃを有し、端部には、連結雌部１８を有する。連結雄部１７と連結雌部１８とは、連結することができるようになっている。
【００４０】
紐部１４ｒは、図３（ｂ），（ｃ）で示すように、２枚構造となっており、２枚重ねにされて形成される隙間Ｒに、図４（ｂ）で示す緩衝材引張紐５３が挿通される。
【００４１】
さらに、後側弾性平板１２における折曲げ部１３の両端部近傍には、図４（ａ）で示すように、２箇所の紐取付け部位１２ａが形成されている。そして、「展開状態維持手段」としての顎紐１４が、一端を紐取付け部位１２ａの一方に取付けられ、他端を紐取付け部位１２ａの他方に取付けられる。顎紐１４が引張られると紐取付け部位１２ａが引張られて２つの折曲げ傾斜部１３ｂが互いに引寄せられるので、折畳み式帽子１０の展開状態が維持される。
【００４２】
また、前側弾性平板１１と後側弾性平板１２の下方には、図４（ｂ）で示すような「緩衝材」である緩衝構造体５０が設けられる。緩衝構造体５０は、緩衝線状部材５１と、緩衝環状部材５２と、緩衝材引張紐５３とを有する。緩衝環状部材５２は、側面視で台形状に形成され、平面視で環状になっており、人の頭に適合し易い形状となっている。緩衝環状部材５２の表面には、挿通誘導片５２ａの両端部５２ａ−１が取付けられており、緩衝環状部材５２と挿通誘導片５２ａとで囲まれる隙間Ｐに、緩衝線状部材５１が挿通されるようになっている。
【００４３】
前側弾性平板１１には、図４（ａ）で示すように、緩衝線状部材５１を挿通して固定することができる挿通切れ込み１１ｄが形成され、後側弾性平板１２には、緩衝線状部材５１を挿通して固定することができる挿通切れ込み１２ｄが形成されている。そして、緩衝線状部材５１の端部が、挿通切れ込み１１ｄ，１２ｄに挿通されてバックル５２ｂに通して折返されることにより固定される（図５参照）。これにより、前側弾性平板１１及び後側弾性平板１２に対する緩衝構造体５０の配置を、自在に変更できるようになっている。
【００４４】
折畳み式帽子１０は、図５（ａ），（ｄ）で示すように、前側弾性平板１１と後側弾性平板１２とが、側面視で折曲げ部１３ａ，１３ｂを介して鋭角で連続されているので、たとえ、危険物が落下してきても、前側弾性平板１１と後側弾性平板１２の各傾斜面に当たって滑って落下するようになっている。
【００４５】
次に、この発明の実施の形態１に係る折畳み式帽子１０の展開方法を述べる。
【００４６】
まず初めに、折畳み式帽子１０は、図６（ａ）で示すように、折畳まれた状態になっている。
【００４７】
それから、前側弾性平板１１と後側弾性平板１２とを、図６（ｂ）で示すように拡げ始め、図６（ｃ）で示すように完全に拡げて被る。
【００４８】
このような折畳み式帽子１０によれば、前側弾性平板１１が、庇部１１ｘと前頭被覆部１１ｙとが一枚の板状を呈する。従って、庇部１１ｘと前頭被覆部１１ｙとを別体に成形する場合に比較して、成形が容易に行える。
【００４９】
また、前側弾性平板１１と後側弾性平板１２とが、平板状態で形状が安定する部材で成形された。従って、収納する場合には、折畳んだ状態にしておけば良いので、収納スペースをとらないで済む。
【００５０】
さらに、前側弾性平板１１と後側弾性平板１２の周縁部の一部には、前後方向に折曲げ可能な折曲げ部１３が形成され、前側弾性平板１１と後側弾性平板１２とが折曲げ部１３を介して折畳まれると扁平状態になり、前側弾性平板１１と後側弾性平板１２とが折曲げ部１３を介して湾曲しながら拡げられると展開状態になり、展開状態を維持する顎紐１４とを備えた。従って、折畳み式帽子１０を被っている間に、折畳み式帽子１０が閉じようとすることがないので、快適に装着することができる。
【００５１】
また、折曲げ部１３が、折曲げ水平部１３ａと、折曲げ水平部１３ａの両端から連続する２つの折曲げ傾斜部１３ｂとを有する。そのため、折曲げ水平部１３ａと折曲げ傾斜部１３ｂとで形成される形が頭の形に適合することにより、頭への装着感が良好になり、折曲げ水平部１３ａと折曲げ傾斜部１３ｂとで屈曲部が形成されることにより、折畳み式帽子１０が展開状態となったときに剛性が上昇する。
【００５２】
さらに、顎紐１４が、両端部を、前側弾性平板１１や後側弾性平板１２における折曲げ部１３の両端部の近傍に形成された紐取付け部位１２ａに取付けられ、顎紐１４が引張られると、紐取付け部位１２ａが引張られて展開状態が維持される。従って、顎紐１４を顎にかけたときに、折曲げ部１３の両端部に形成された紐取付け部位１２ａが互いに引き寄せられるので、前側弾性平板１１と後側弾性平板１２との繋ぎ目が前後方向で湾曲するようになり、展開状態が維持される。
【００５３】
また、前側弾性平板１１の裏面と後側弾性平板１２の裏面には、人の頭頂部が当接する緩衝構造体５０が取付けられ、前側弾性平板１１と後側弾性平板１２とが拡げられた状態で各弾性平板１１，１２の裏面と緩衝構造体５０の頭頂部に対する当接部分との間には隙間が形成されて、人の頭頂部が各弾性平板１１，１２の裏面に当接しないように構成された。従って、緊急時に折畳み式帽子１０を拡げて被った場合に、仮に帽子１０の上から危険物が落下してきたときに、人の頭への衝撃を緩和することができる。
【００５４】
さらに、顎紐１４は、緩衝構造体５０の下端に設けられた緩衝材引張紐５３と連動して引張られるように構成した。従って、顎紐１４が折曲げ傾斜部１３ｂを引張ると同時に、緩衝構造体５０を引張ることになるので、折畳み式帽子１０の展開状態を維持しつつ緩衝構造体５０を人の頭に強く被せることができる。
【００５５】
また、前側弾性平板１１と後側弾性平板１２は、透明である。従って、折畳み式帽子１０を被ったときに、前方及び側方の視界が広がるので、避難時に安全に行動することができる。
【００５６】
なお、この発明の実施の形態１では、後側弾性平板１２側に紐取付け部位１１ａが２箇所設けられていたが、上記実施の形態に限定されず、何れか一方のみでも良い。例えば、前側弾性平板１１のみに紐取付け部位を設けることも可能であり、又、前側弾性平板１１と後側弾性平板１２との両方に紐取り付け部位を設けることも可能である。何れにしろ、顎紐１４によって、折曲げ部１３における折曲げ傾斜部１３ｂが互いに引寄せられるように付勢できるからである。
［発明の実施の形態２］
【００５７】
以下、この発明の実施の形態２について説明する。
【００５８】
図７乃至図９は、この発明の実施の形態１を示す。
【００５９】
まず、構成を簡単に説明すると、折曲げ式帽子２０は、図７（ａ）〜（ｅ）で示すように、前側弾性平板２１と後側弾性平板２２とを有し、前側弾性平板２１と後側弾性平板２２との境には、折曲げ部２３が形成されている。
【００６０】
前側弾性平板２１は、庇部２１ｘと前頭被覆部２１ｙとが一枚の板状を呈して平板状態で形状が安定する部材で成形されている。また、後側弾性平板２２は、前側弾性平板２１の「周縁部の一部」である折曲げ部２３が連続されて後頭を被覆する平板状態で形状が安定する部材で成形されている。前側弾性平板２１と後側弾性平板２２の材質は、例えば、厚紙により成形される。
【００６１】
そして、折曲げ部２３を介して折畳まれると、前側弾性平板２１と後側弾性平板２２とが扁平状態になり、折曲げ部２３を介して湾曲しながら拡げられると、前側弾性平板２１と後側弾性平板２２とが展開状態になるように構成されている。
【００６２】
折曲げ部２３は、図８（ａ），（ｂ）で示すように、折曲げ水平部２３ａと、折曲げ水平部２３ａの両端から連続する２つの折曲げ傾斜部２３ｂとからなる。
【００６３】
また、前側弾性平板２１には、図８（ａ），（ｂ）で示すように、折曲げ水平部２３ａの両端部から前方に円弧状に形成されて凸状に折曲げ可能な「展開状態維持手段」である前方折曲げ円弧線２１ｂが形成されている。また、後側弾性平板２２には、図８（ｂ）で示すように、折曲げ水平部２３の両端部から後方に円弧状に形成されて凸状に折曲げ可能な「展開状態維持手段」である後方折曲げ円弧線２２ｂが形成されている。そして、前側弾性平板２１と後側弾性平板２２とが拡げられた状態で、前方折曲げ円弧線２１ｂと後方折曲げ円弧線２２ｂとで囲まれた部位を押圧して凹ませることによって、前側弾性平板２１と後側弾性平板２２とは展開状態が維持されるようになっている。このとき、前述した前方折曲げ円弧線２１ｂと後方折曲げ円弧線２２ｂとは、凸状に折り曲げられた状態となる。また、このとき、折曲げ水平部２３ａと前方折曲げ円弧線２１ｂとで囲まれる半円状の前側凹部Ｘが前側弾性平板２１を前方へと開くようにと付勢し、折曲げ水平部２３ａと後方折曲げ円弧線２２ｂとで囲まれる半円状の前側凹部Ｙが後側弾性平板２２を後方へと開くようにと付勢し、又、折曲げ傾斜部２３ｂ同士が接近する方向へと付勢されることとなる。
【００６４】
さらに、前側弾性平板２１における折曲げ部２３の両端部近傍には、図８（ａ）で示すように、紐取付け部位２１ａが形成され、後側弾性平板２２における折曲げ部２３の両端部近傍には、図８（ｂ）で示すように、紐取付け部位２２ａが形成されている。そして、「展開状態維持手段」としての顎紐２４が、一端を紐取付け部位２１ａ，２２ａの一方に取付けられ、他端を紐取付け部位２１ａ，２２ａの他方に取付けられる。顎紐２４が引張られると紐取付け部位２１ａ，２２ａが引張られて２つの折曲げ傾斜部２３ｂが互いに引寄せられるので、折畳み式帽子２０の展開状態が維持される。
【００６５】
次に、この発明の実施の形態１に係る折畳み式帽子２０の展開方法を述べる。
【００６６】
まず初めに、折畳み式帽子２０は、図９（ａ）で示すように、折畳まれた状態になっている。
【００６７】
それから、前側弾性平板２１と後側弾性平板２２とを、図９（ｂ），（ｃ）で示すように拡げていく。
【００６８】
最後に、前方折曲げ曲線２１ｂと後方折曲げ曲線２２ｂとで囲まれた部位を、図９（ｄ）で示すように凹ませて前側凹部Ｘと後側凹部Ｙとを形成して完成する。
【００６９】
このような折畳み式帽子２０によれば、展開状態を維持する前方折曲げ円弧線２１ｂ、後方折曲げ円弧線２２ｂ及び顎紐２４を備えた。従って、折畳み式帽子１０を被っている間に、折畳み式帽子２０が閉じようとすることがないので、快適に装着することができる。また、前側凹部Ｘによって前側弾性平板２１が前方に開く方向に付勢し、後側凹部Ｙによって後側弾性平板２２が後方に開く方向に付勢するので、折畳み式帽子２０の展開形状の安定性を向上させることができる。
【００７０】
また、前方折曲げ円弧線２１ｂと後方折曲げ円弧線２２ｂとが形成されているから、前側弾性平板２１と後側弾性平板２２とが拡げられた状態で、前方折曲げ円弧線２１ｂと後方折曲げ円弧線２２ｂとで囲まれた部位を押圧して凹ませることができる。そのため、その凹みが形成されることで、前側弾性平板２１と後側弾性平板２２とが開く方向に付勢される。従って、顎紐２４がなくても、折畳み式帽子２０の展開状態の維持が可能になり、又、展開状態を維持する強度が向上される。
【００７１】
なお、この発明の実施の形態２では、紐取付け部位２１ａと紐取付け部位２２ａとの２箇所の紐取付け部位２１ａ，２２ａがあったが、上記実施の形態に限定されず、何れか一方のみでも良い。例えば、前側弾性平板２１のみに紐取付け部位２１ａがあった場合であっても、折曲げ部２３における折曲げ傾斜部２３ｂが互いに引寄せられるように顎紐２４によって付勢できるからである。
［発明の実施の形態３］
【００７２】
以下、この発明の実施の形態３について説明する。なお、この発明の実施の形態３における折畳み式帽子３０は、この発明の実施の形態１における折畳み式帽子１０と、構成する部材においてほぼ同一部材であるが、折畳み式帽子３０は、湾曲状態で形状が安定する部材で構成され、折畳み式帽子１０は、平板状態で形状が安定する部材で構成されている点で異なるのみである。そのため、この発明の実施の形態１と平板状態か湾曲状態か以外の違いがない部材については、同一符号を用いて、以下の説明を省略する。
【００７３】
この発明の実施の形態３が、この発明の実施の形態１と異なるのは、この発明の実施の形態３に係る折畳み式帽子３０では、前側弾性平板１１が、庇部１１ｘと前頭被覆部１１ｙとが一枚の板状を呈して湾曲状態で形状が安定する部材で成形されている点と、後側弾性平板１２が、前側弾性平板１１の周縁部の一部が連続されて後頭を被覆する湾曲状態で形状が安定する部材で成形されている点である。
【００７４】
また、この発明の実施の形態３における前側弾性平板１１と後側弾性平板１２は、例えば、ポリプロピレンが湾曲状態のまま熱加工されることにより成形される。
【００７５】
この発明の実施の形態３に係る折畳み式帽子３０の展開方法を述べる。
【００７６】
まず初めに、折畳み式帽子３０は、前側弾性平板１１と後側弾性平板１２とが折曲げ部１３を介して折畳まれ、前側弾性平板１１と後側弾性平板１２とがテープ等により貼り合わされて扁平状態となっている。そのテープ等を剥がすと、前側弾性平板１１と後側弾性平板１２とが、折曲げ部１３を介して拡げられると、自らの弾性力により湾曲状態に戻って展開される。
【００７７】
このような折畳み式帽子３０によれば、前側弾性平板１１が、庇部１１ｘと前頭被覆部１１ｙとが一枚の板状を呈する。従って、庇部１１ｘと前頭被覆部１１ｙとを別体に成形する場合に比較して、成形が容易に行える。
【００７８】
また、前側弾性平板１１と後側弾性平板１２とが、湾曲状態で形状が安定する部材で成形された。従って、緊急時に折畳み式帽子３０を取出せば、前側弾性平板１１と後側弾性平板１２との境目である折曲げ部１３を介して展開状態へと変形するため、人手によって折畳み式帽子３０を開く必要がなくなる。
【００７９】
なお、この発明の実施の形態１乃至３では、折曲げ部１３，２３が、折曲げ水平部１３ａ，２３ａと折曲げ傾斜部１３ｂ，２３ｂとから形成されていたが、上記実施に限定されず、例えば、前側弾性平板１１，２１と後側弾性平板１２，２２における折曲げ部１３，２３が円弧状になるように構成することも可能である。このようにすれば、折曲げ部の形状が人の頭の形状に近いので、頭への装着感が更に良好になる。
【００８０】
また、この発明の実施の形態１乃至３では、材質がポリプロピレンであり、この発明の実施の形態２では、材質が厚紙であったが、上記実施の形態に限定されず、ポリカーボネート、ポリエチレン・テレフタレート（ＰＥＴ）、アクリロニトリル・ブタジエン・スチレン共重合体（ＡＢＳ）、塩化ビニル（塩ビ）等により成形することも可能である。このうち、ポリカーボネート、ポリエチレン・テレフタレート（ＰＥＴ）、アクリロニトリル・ブタジエン・スチレン共重合体（ＡＢＳ）、塩化ビニル（塩ビ）等は、難燃性に優れるので、火災によって折畳み式帽子１０が燃えるのを防止することができる点で有効である。
【００８１】
さらに、この発明の実施の形態１では、前側弾性平板１１，２１及び後側弾性平板１２，２２の裏面に緩衝構造体５０が設けられ、この発明の実施の形態２及び３では、前側弾性平板１１，２１及び後側弾性平板１２，２２の裏面に何らの部材も設けられなかったが、上記実施の形態に限定されず、前側弾性平板１１，２１の裏面と後側弾性平板１２，２２の裏面に、直線状の緩衝線状部材５１だけを傾斜して設けたり、環状の緩衝環状部材５２だけを設けたりすることも可能である。例えば、図１０（ａ）で示すように、テープ等により直線状の緩衝線状部材５１を成形して、緩衝線状部材５１の一端を前側弾性平板１１，２１の裏面に固定し、緩衝線状部材５１の他端を後側弾性平板１２，２２の裏面に固定し、かつ、緩衝線状部材５１が前側弾性平板１１，２１から後側弾性平板１２，２２にかけて傾斜するように設けることも可能である。そうすると、前側弾性平板１１，２１と後側弾性平板１２，２２とが拡げられた状態で各弾性平板１１，１２，２１，２２の裏面と緩衝線状部材５１との間には隙間が形成されて、人の頭頂部が各弾性平板１１，１２，２１，２２の裏面に当接しないように構成することも可能である。また、図１０（ｂ）で示すように、折畳み式帽子２０に対して、前側弾性平板１１の前頭被覆部１１ｙの裏面と後側弾性平板１２の裏面とに渡り、環状の緩衝環状部材５２が設けることも可能である。
【００８２】
また、この発明の実施の形態１及び２では、前側弾性平板１１，２１及び後側弾性平板１２，２２自体の材質により、平板状態で形状が安定するように構成されていたが、上記実施の形態に限定されず、例えば、前側弾性平板１１，２１及び後側弾性平板１２，２２自体が平板状態で形状が安定する部材であるのに対して、これに湾曲状態で形状が安定するバネ材６１を設けることも可能である。このようにすれば、平板１１，１２，２１，２２自体の材質が、平板状態で形状が安定される部材であっても、バネ材６１の弾性力によって、平板１１，１２，２１，２２が湾曲状態で形状が安定されるようにすることができ、折畳み式帽子１０，２０の前側弾性平板１１と後側弾性平板１２とが扁平状態を解除されると、自らの弾性力によって展開状態になるようにすることができる。
【００８３】
さらに、この発明の実施の形態３によれば、前側弾性平板１１と後側弾性平板１２とが扁平状態となった状態では、「扁平状態維持手段」であるテープによる接合維持が記載されていたが、上記実施の形態に限定されず、「扁平状態維持手段」であるボタンを取付けることによって、このようなテープやボタンの着脱によって扁平状態と展開状態との何れにも移行できるようにすることも可能である。
【００８４】
また、この発明の実施の形態１乃至３によれば、前側弾性平板１１，２１と後側弾性平板１２，２２の大きさは、互いに異なっていたが、上記実施の形態に限定されず、双方の平板１１，１２，２１，２２を同一形状とすることも可能である。例えば、この発明の実施の形態１乃至３における前側弾性平板１１，２１の大きさで、後側弾性平板１２，２２を成形し、かつ、平板１１，１２，２１，２２を透明に成形することにより、例えば、子供が、緊急避難時に折畳み式帽子１０，２０の前後を誤って被った場合でも、折畳み式帽子１０，２０が、緊急避難時の保護帽としての役割が果たせるようになる。
【００８５】
さらに、この発明の実施の形態１乃至３によれば、折畳み式帽子１０，２０，３０の表面にどのような模様を付するか記載していないが、例えば、広告を付記することにより、宣伝効果も狙うことができる。
【００８６】
また、折曲げ部１３，２３の形状は、この発明の実施の形態１乃至３で述べた形状に限定されず、図１０（ｄ）で示すように、折曲げ水平部１３ａの両端に傾斜角の緩い傾斜部７１を連成させ、この傾斜部７１に更に傾斜角の急な傾斜部７２を連成させて、前側弾性平板１１，２１や後側弾性平板１２，２２を形成させたり、図１０（ｅ）で示すように、折曲げ水平部１３ａの両端に傾斜の緩い円弧状部８１を連続して形成し、この円弧状部８１に傾斜の急な円弧状部８２を連続して形成することも可能である。
【００８７】
更に、この発明の実施の形態１乃至３によれば、折畳み式帽子１０〜３０のみで説明したが、図１０（ｆ）で示すように、後側弾性平板１２の下端部近傍に延長布部９０を、ホック９１（又は、これに代えて図示しないボタン）等により取付ける構造とすることも可能である。また、この延長布部９０は、難燃性を有する素材を用いる。そうすれば、髪の長い人は、火災時に、火の粉を髪に受けることが無くなる。
【図面の簡単な説明】
【００８８】
【図１】この発明の実施の形態に係る折畳み式帽子を示し、（ａ）は、展開状態の平面図であり、（ｂ）は、展開状態の側面図である。
【図２】同実施の形態に係る折畳み式帽子を示し、（ａ）は、扁平状態の正面図であり、（ｂ）は、扁平状態の背面図である。
【図３】同実施の形態に係る折畳み式帽子の部品図であり、（ａ）は、前側弾性平板及び後側弾性平板の展開図であり、（ｂ）は、左側紐の構成図であり、（ｃ）は、右側紐の構成図である。
【図４】同実施の形態に係る折畳み式帽子の部品図であり、（ａ）は、前側弾性平板及び後側弾性平板の組立図であり、（ｂ）は、緩衝構造体の組立図である。
【図５】同実施の形態に係る折畳み式帽子を示し、（ａ）は、展開状態の側面図、（ｂ）は、展開状態の平面図、（ｃ）は、展開状態の下面図、（ｄ）は、（ｂ）のＡ−Ａ線に沿う前側弾性平板及び後側弾性平板の断面図であり、（ｅ）は、（ａ）のＢ−Ｂ線に沿う前側弾性平板及び後側弾性平板の断面図である。
【図６】同実施の形態に係る折畳み式帽子の展開過程を示し、（ａ）は、折畳んだ状態の側面図、（ｂ）は、途中まで展開した状態の側面図、（ｃ）は、展開状態を示す側面図、（ｄ）は、前方側円弧線及び後方側円弧線で囲まれた部位を押圧して凹ませた状態の側面図である。
【図７】この発明の実施の形態１に係る折畳み式帽子を示し、（ａ）は、展開状態の側面図、（ｂ）は、展開状態の平面図、（ｃ）は、展開状態の下面図、（ｄ）は、（ｂ）のＣ−Ｃ線に沿う断面図であり、（ｅ）は、（ａ）のＤ−Ｄ線に沿う断面図である。
【図８】同実施の形態に係る折畳み式帽子を示し、（ａ）は、折畳み状態の正面図、（ｂ）は、折畳み状態の背面図である。
【図９】同実施の形態に係る折畳み式帽子の展開過程を示し、（ａ）は、折畳んだ状態の側面図、（ｂ）は、途中まで展開した状態の側面図、（ｃ）は、展開状態を示す側面図、（ｄ）は、前方側円弧線及び後方側円弧線で囲まれた部位を押圧して凹ませた状態の側面図である。
【図１０】この発明の他の実施の形態に係る折畳み式帽子を示し、（ａ）は、Ｘ字状に直線状の緩衝線状部材を設けた状態を示す下面図、（ｂ）は、前頭被覆部及び後頭被覆部に渡り環状の緩衝環状部材を設けた状態を示す下面図、（ｃ）は、前側弾性平板及び後側弾性平板に板面に沿ってバネ材を設けた状態を示す下面図、（ｄ）は、折曲げ水平部の両端に折曲げ傾斜部を設け、その折曲げ傾斜部に更に折曲げ傾斜部を連続して設けた前側弾性平板の正面図、（ｅ）は、折曲げ水平部の両端に折曲げ円弧部を設け、その折曲げ円弧部に更に折曲げ円弧部を連続して設けた前側弾性平板の正面図である。
【符号の説明】
【００８９】
10,20,30    折畳み式帽子
11,21   前側弾性平板
12,22   後側弾性平板
13a,23a 折曲げ水平部（折曲げ部）
13b,23b 折曲げ傾斜部（折曲げ部）
14,24   顎紐（展開状態維持手段）
21b     前方折曲げ円弧線（展開状態維持手段）
22b     後方折曲げ円弧線（展開状態維持手段）
50      緩衝構造体（緩衝材）
51      緩衝線状部材（緩衝材）
52      緩衝環状部材（緩衝材）
53      緩衝材引張紐（緩衝材）
61      バネ材（展開状態維持手段）
【図１】
2007162179.tif 000003
【図２】
2007162179.tif 000004
【図３】
2007162179.tif 000005
【図４】
2007162179.tif 000006
【図５】
2007162179.tif 000007
【図６】
2007162179.tif 000008
【図７】
2007162179.tif 000009
【図８】
2007162179.tif 000010
【図９】
2007162179.tif 000011
【図１０】
2007162179.tif 000012